(57)【要約】【課題】同一種類の支持金具で、耐風圧が小さくてすむ場合には極力作業に要する手間を省き、耐風圧が大きく必要な場合には強固に取り付けることができる支持金具を提供する。【解決手段】タイトフレーム２の隣接する凹部２３にそれぞれ下折板材１０が配設されると共に下折板材１０を連結することで下折板屋根１が構成され、下折板材１０のハゼ継ぎ部１３とタイトフレーム２の吊子２１とが締結されたハゼ継ぎ固定部１６が下折板屋根１の山部１４に設けられた折板屋根構造において、山部１４を被嵌するよう設置されて上折板材３０を固定する支持金具４である。逆Ｕ字状をした金具本体４１の上端部に設けられた上折板材固定部４２と、金具本体４１の頂部に設けられ且つ下折板屋根１の山部１４のハゼ継ぎ固定部１６に当該金具本体４１を固定する固定部４３と、金具本体４１の両側に設けられたタイトフレーム２への固定片４５とを備える。【選択図】図１
2012132176.tif 000002
【特許請求の範囲】
【請求項１】
凸部と凹部とが交互に連設されたタイトフレームにおいて隣接する凹部にそれぞれ下折板材が配設されると共に当該隣接する下折板材を連結することで下折板屋根が構成され、下折板材の両端に設けられたハゼ継ぎ部とタイトフレームに設けられた吊子とが締結されたハゼ継ぎ固定部が下折板屋根の山部に設けられた折板屋根構造において、当該下折板屋根の山部を被嵌するよう設置されて上折板材を固定する支持金具であって、
略逆Ｕ字状をした金具本体の上端部に設けられた上折板材固定部と、
金具本体の頂部に設けられ且つ下折板屋根の山部のハゼ継ぎ固定部に当該金具本体を固定する固定部と、
金具本体の両側に設けられたタイトフレームへの固定片と
を備えている
ことを特徴とする支持金具。
【請求項２】
前記上折板材固定部は、
隣接する上折板材のハゼ継ぎ部同士と相互に締結されることでハゼ継ぎ固定部を形成する吊子と、
ハゼ継ぎ固定部を両側から挟持してハゼ継ぎ状態を補強するハゼ補強具と
を備えている
ことを特徴とする請求項１記載の支持金具。
【発明の詳細な説明】
【技術分野】
【０００１】
本発明は、下折板屋根上に上折板屋根を葺設する際に用いる支持金具に関する。
【背景技術】
【０００２】
従来、下折板屋根の上に上折板屋根を葺設するに当たり、下折板屋根の山部に取り付けられて上折板屋根を固定する支持金具が知られている（例えば特許文献１参照）。この特許文献１記載の支持金具は、複数の下折板材のハゼ継ぎ部同士及びタイトフレームの吊子を相互にハゼ継ぎされてなるハゼ継ぎ固定部に装着される。この支持金具は、下折板材のハゼ継ぎ固定部を厚み方向両側から挟持する固定部と、上折板材を固定する上折板屋根固定部とを備えている。
【０００３】
このように特許文献１記載の支持金具は、下折板屋根のハゼ継ぎ固定部に、両側から挟持するようにして装着される。そのため作業者は、この支持金具を簡単に装着することができ、効率のよい作業を行なうことができる。
【０００４】
ところでこの支持金具９２は、図５に示されるように、ハゼ継ぎ固定部９６にのみ固定されており、タイトフレーム９０に対して吊子９１のみを介して連結されている。そのため、この支持金具９２を用いて葺設された上折板屋根９３に風圧がかかると、その力がそのまま吊子９１に作用することになる。したがってこの支持金具９２を用いて葺設された上折板屋根９３に過度な風荷重が掛かると、その過度な力がそのまま吊子９１に作用するため、吊子９１が破損してしまう場合があった（図５中破断部９５参照）。
【０００５】
一方、下折板屋根の山部に被嵌するようにして配置され、逆Ｕ字状の金具本体の両側片をタイトフレームに固定する支持金具も知られている（例えば特許文献２参照）。この特許文献２記載の支持金具は、金具本体の両側片が固着具を介してタイトフレームに固定されているため、強固に取り付けられる。この支持金具を用いて葺設された折板屋根は耐風圧が大きいという利点がある。
【０００６】
しかしながらこの支持金具は、取り付けに当たり、複数の固着具をタイトフレームにまで挿通する必要があるため、手間が掛かるという問題がある。特に、設計上高い耐風圧が必要とはならない場合においても、高い耐風圧が必要な場合と同様にタイトフレームに固着具を介して固設する必要があるため、手間が余分に掛かって作業効率を低下させてしまうという問題があった。
【先行技術文献】
【特許文献】
【０００７】
【特許文献１】特開２００８−１３９８５号公報
【特許文献２】特開平８−４２０７０号公報
【発明の概要】
【発明が解決しようとする課題】
【０００８】
本発明は、上記事情に鑑みてなされたものであり、その目的とするところは、同一種類の支持金具で、耐風圧が小さくてすむ場合には極力作業に要する手間を省き、耐風圧が大きく必要な場合には強固に取り付けることができる支持金具を提供することにある。
【課題を解決するための手段】
【０００９】
本発明の支持金具４は、凸部２２と凹部２３とが交互に連設されたタイトフレーム２において隣接する凹部２３にそれぞれ下折板材１０が配設されると共に隣接する下折板材１０を連結することで下折板屋根１が構成され、下折板材１０の両端に設けられたハゼ継ぎ部１３とタイトフレーム２に設けられた吊子２１とが締結されたハゼ継ぎ固定部１６が下折板屋根１の山部１４に設けられた折板屋根構造において、下折板屋根１の山部１４を被嵌するよう設置されて上折板材３０を固定する支持金具４であって、略逆Ｕ字状をした金具本体４１の上端部に設けられた上折板材固定部４２と、金具本体４１の頂部に設けられ且つ下折板屋根１の山部１４のハゼ継ぎ固定部１６に当該金具本体４１を固定する固定部４３と、金具本体４１の両側に設けられたタイトフレーム２への固定片４５とを備えていることを特徴とする。
【００１０】
このように本発明の支持金具４は、支持金具４をハゼ継ぎ固定部１６に装着する固定部４３と、金具本体４１をタイトフレーム２に固定する固定片４５とをいずれも有しているので、耐風圧が小さくてすむ場合には、固定部４３を利用して支持金具４を省施工で簡単に取り付けることができ、大きな耐風圧が必要な場合には、タイトフレーム２に固定された固定片４５を利用して支持金具４を強固に取り付けることができる。
【００１１】
また本発明の支持金具４において、前記上折板材固定部４２は、隣接する上折板材３０のハゼ継ぎ部３３同士と相互に締結されることでハゼ継ぎ固定部３６を形成する吊子５０と、ハゼ継ぎ固定部３６を両側から挟持してハゼ継ぎ状態を補強するハゼ補強具６とを備えていることが好ましい。
【００１２】
このように本発明の支持金具４は、上折板材３０のハゼ継ぎ固定部に取り付けられるハゼ補強具６を備えているため、より一層強固に上折板材３０を取り付けることが可能となる。
【発明の効果】
【００１３】
本発明の支持金具によれば、同一種類の支持金具で、耐風圧が小さくてすむ場合には極力作業に要する手間を省き、耐風圧が大きく必要な場合には強固に取り付けることができるようになる。
【図面の簡単な説明】
【００１４】
【図１】（ａ）（ｂ）は、本発明の一実施形態の支持金具の斜視図である。
【図２】同上の実施形態のハゼ継ぎ固定部に支持金具を取り付けた状態の側断面図であり、（ａ）ははぜ継ぎ部分の形状が角はぜ形状のものであり（ｂ）は丸はぜ形状のものである。
【図３】同上の実施形態のタイトフレームに支持金具を固定した状態の側断面図である。
【図４】同上の実施形態の支持金具にハゼ補強具を取り付けた状態の側断面図である。
【図５】従来の支持金具の参考図である。
【発明を実施するための形態】
【００１５】
以下、本発明の実施形態について添付図面に基づいて説明する。
【００１６】
本実施形態の支持金具４は、既設の下折板屋根１を改修するため当該下折板屋根１上に新設の上折板屋根３が葺き替えられた折板屋根構造に用いられるものである。この折板屋根構造は、下折板屋根１の上に、全面に亘って略一定の間隔を介して上折板屋根３が葺設され、上下２段となるよう構成されている。
【００１７】
下折板屋根１は、既設の折板屋根であって、母屋２４上に固設されたタイトフレーム２を介して設置されている。
【００１８】
タイトフレーム２は、その長手方向に凸部２２と凹部２３とが交互に連設されており、金属製の帯状部材が曲げ加工されることで形成されたものである。タイトフレーム２は、凸部２２の頂部に当該凸部２２から上方に向けて突出した吊子２１を有している。この吊子２１はボルト・ナットにより固定されている。タイトフレーム２は、母屋２４に沿って複数並設される。なお母屋２４は、既存の外装下地材であって、例えばＨ型綱やＣ型綱やリップ溝型綱などにより構成されている。
【００１９】
下折板屋根１は、山部１４と谷部が桁方向に並ぶように且つ山部１４と谷部の各長手方向が軒棟方向に沿うようにして設置される。下折板屋根１は、正面視略Ｖ字状をした複数の下折板材１０を備えており、これら下折板材１０は母屋２４の長手方向に並設される。この下折板材１０は、図２等に示されるように、平坦部１１と、この平坦部１１の長手方向に直角な方向（すなわち桁方向）の両端から上方に連設された一対の立設部１２と、この立設部１２の桁方向端部に設けられたハゼ継ぎ部１３とを備えており、この平坦部１１と立設部１２とハゼ継ぎ部１３とは、一枚の金属板を曲げ加工することで形成されている。
【００２０】
下折板屋根１は、このハゼ継ぎ部１３同士並びにタイトフレーム２の吊子２１を相互に締結することで形成されたハゼ継ぎ固定部１６を有している。このハゼ継ぎ固定部１６は、下折板屋根１の山部１４における平らになった頂面部１５の桁方向略中央に、上方に向けて突設されている。ハゼ継ぎ固定部１６は、図２等に示されるように、側方に開口する凹溝部１７を有している。
【００２１】
下折板材１０を設置するには、次のようにして施工する。まず、母屋２４に沿ってタイトフレーム２を複数並設する。次いで、略Ｖ字状の下折板材１０を、タイトフレーム２の凹部２３内に配置し、当該下折板材１０の長手方向を軒棟方向に沿わせるよう配置する。これにより複数の下折板材１０が、母屋２４の長手方向（桁方向）に並ぶようにして配置される。そして、隣接する下折板材１０のハゼ継ぎ部１３同士をはぜ継ぎにより締結する。このとき、吊子２１も共に折り曲げるようにすることで、下折板材１０とタイトフレーム２とを吊子２１を介して連結することができる。この隣接する立設部１２により構成された山状の部分が、下折板屋根１における山部１４となる。
【００２２】
なお本実施形態においては、はぜ継ぎ部分の形状を、図２（ａ）等に示すような角ハゼ形状としたが、図２（ｂ）に示すような丸ハゼ形状としたものであってもよい。
【００２３】
このように設置された下折板屋根１を改修するために、当該下折板屋根１上に上折板屋根３が葺設される。この上折板屋根３は、既設の下折板屋根１の山部１４に載設された支持金具４に取り付けられる。
【００２４】
支持金具４は、既設の下折板屋根１の山部１４に取り付けられ、この下折板屋根１の上方に一定の隙間を形成した状態で上折板屋根３を配設する。支持金具４は、図１に示されるように、逆Ｕ字状の金具本体４１によって主体が構成されている。支持金具４は、金具本体４１の上端部に取り付けられた上折板材３０を固定するための上折板材固定部４２と、金具本体４１の頂部に設けられ且つ下折板屋根１の山部１４のハゼ継ぎ固定部１６に当該金具本体４１を固定する固定部４３（第１の固定部４３０）と、金具本体４１の両側に設けられた固定片４５（第２の固定部４５０）とを備えている。
【００２５】
第１の固定部４３０は、図１，２等に示されるように、下折板材１０のハゼ継ぎ固定部１６の凹溝部１７とは反対側の側面に当接する縦片４７と、この縦片４７の上端から当該縦片４７に対向するようにして連設された断面逆Ｌ字状の対向片４８とを有しており、この縦片４７と対向片４８とで断面下向きコ字形状となっている。この対向片４８における縦片４７に対向する面には、ボルトを螺合可能な一対の雌ねじ孔が穿設されている。またこの対向片４８における縦片４７に対向する面は、下方ほど縦片４７から離れるよう傾斜している。
【００２６】
第１の固定部４３０は、縦片４７がハゼ継ぎ固定部１６の一側面に当接した状態で、対向片４８が凹溝部１７に対向するよう配置される。この状態で対向片４８の雌ねじ孔にボルト７を螺合し、当該ボルト７の先端を凹溝部１７の奥面に当接させると、当該ボルト７の先端と縦片４７とで、ハゼ継ぎ固定部１６を折板材厚み方向両側から挟持した状態となり、金具本体４１が山部１４に固定される。
【００２７】
第２の固定部４５０は、第１の固定部４３０の縦片４７と対向片４８との下端からそれぞれ、帯状の固定片４５を延設することで構成される。この固定片４５は金具本体４１の両側に設けられている。本実施形態の支持金具４は、金具本体４１の両側片を固定片４５としている。この固定片４５は、第１の固定部４３０における軒棟方向略中央に設けられており、その幅寸法は、対向片４８に螺合された一対のボルト７，７の頭部間の対向する距離よりも小さくなるよう形成されている。これによりボルト７を螺合する際に、その頭部が固定片４５に干渉するのを防止する。また固定片４５は、対向する固定片４５に対し、下方ほど対向間の距離が大きくなるよう傾斜している。したがって支持金具４を下折板屋根１の山部１４に被嵌すると、各固定片４５は当該山部１４の斜面に沿うようになっている。この固定片４５は、長手方向に沿って複数の固着具挿通孔５３が並設されている。
【００２８】
この第２の固定部４５０を用いて支持金具４を下折板屋根１の山部１４に取り付けるには、次のようにして行なう（図３参照）。まず支持金具４の固定片４５が、タイトフレーム２が位置する箇所に重なるよう支持金具４を配置する。この状態で、固定片４５に固着具を螺合させる。このとき、固着具により、固定片４５と下折板材１０とタイトフレーム２とを貫通させ、これら三者を締結する。これにより第２の固定部４５０を使用して、下折板屋根１の山部１４に支持金具４を固定することができる。
【００２９】
上折板材固定部４２は、上折板材３０をハゼ継ぎ固定するため金具本体４１にボルト留めされた吊子５０と、後述のハゼ補強具６（図４参照）とを備えている。
【００３０】
吊子５０は、金具本体４１の上端部に装着される。吊子５０は、金具本体４１に取り付ける部分となる取着部５１と、上折板材３０のハゼ継ぎ部３３同士と相互に締結されるカシメ部５２とを有しており、これらは一つの金属板を曲げ加工することで形成されている。吊子５０は、カシメ部５２が、金具本体４１に取り付けられた状態で、当該金具本体４１の頂部から上方に向けて突出するよう構成されている。吊子５０は、その両側に位置する上折板材３０のハゼ継ぎ部３３と共にカシメられることでハゼ継ぎ固定部３６を形成する。このハゼ継ぎ固定部３６は、上折板屋根３の山部３４の頂面部３５に形成される。
【００３１】
上折板屋根３は、複数の上折板材３０を備えている。上折板屋根３は、複数の上折板材３０が桁方向に並ぶようにして配設され、隣接する上折板材３０同士をハゼ継ぎして連結することで構成されている。
【００３２】
上折板材３０は、断面略Ｖ字状をしており、下折板材１０と略同じ断面形状をしている。上折板材３０は、平坦部３１と、この平坦部３１の長手方向に直角な方向の両端から上方に向けて連設された一対の立設部３２と、立設部３２の桁方向の端部に設けられたハゼ継ぎ部３３とを備えており、この平坦部３１と立設部３２とハゼ継ぎ部３３とは、一枚の金属板を曲げ加工することで形成されている。
【００３３】
上折板屋根３は、このハゼ継ぎ部３３同士及び支持金具４の吊子５０を相互に締結することでハゼ継ぎ固定され、これらによって形成されたハゼ継ぎ固定部３６を有する。このハゼ継ぎ固定部３６は、上折板屋根３の山部３４における平らになった頂面部３５の桁方向略中央に、上方に向けて突設されている。ハゼ継ぎ固定部３６は、図２等に示されるように、側方に開口する凹溝部３７を有している。
【００３４】
上記構成の支持金具４は、金具本体４１を下折板屋根１のハゼ継ぎ固定部１６に挟着する第１の固定部４３０と、金具本体４１をタイトフレーム２に固定する第２の固定部４５０とをいずれも有しているので、施工者は施工現場において、第１の固定部４３０と第２の固定部４５０とを選択して使用することができる。すなわち本実施形態の支持金具４を用いることで施工者は、屋根に要求される耐風圧が小さい場合には、第１の固定部４３０を利用して支持金具４を省施工で簡単に取り付けることができ、要求される耐風圧が大きい場合には、第２の固定部４５０を利用して支持金具４を強固に取り付けることができる。
【００３５】
ここで、屋根施工において要求される耐風圧は法上定められており、施工地域や建物高さに応じて異なるものとなっている。ところが従来の支持金具は、一つの固定手段しか有していなかったため、支持金具自体で要求される耐風圧に適応させることができなかった。しかも、建築物における母屋２４の間隔によっても、その屋根の耐風圧が大きく異なるため、施工者は、取り付け方法の異なる複数種類の支持金具を持ち運ばなければならなかった。
【００３６】
しかしながら、本実施形態の支持金具４は、金具本体４１を下折板屋根１のハゼ継ぎ固定部１６に挟着する第１の固定部４３０と、金具本体４１をタイトフレーム２に固定する第２の固定部４５０とをいずれも有しているため、作業者は１種類の支持金具４を運搬するだけでよい。しかも、大きな耐風圧を要求されない場合には無駄な作業を省くことができ、それでいて大きな耐風圧が必要な場合にはその要求を満たす施工を確実に行なうことができる。
【００３７】
また、第１の固定部４３０を使用して支持金具４を固定した場合には、既に形成された下折板屋根１のハゼ継ぎ固定部１６を利用して支持金具４を固定できるため、下折板屋根１に新たに穴を穿孔する必要はなく、漏水の問題を回避できる。さらに、固定片４５によって支持金具４の設置状態を安定させた状態で、第１の固定部４３０による固定作業を行なうことができるため、作業性を向上させる。また、固定片４５が下折板屋根１の山部１４に被嵌した状態で第１の固定部４３０によって固定されているため、支持金具４の設置状態がより一層安定し、上折板屋根３の施工不良を防ぐことも可能である。
【００３８】
また第２の固定部４５０を使用して支持金具４を固定した場合には、タイトフレーム２と第２の固定部４５０との間に下折板材１０が挟まれているから、下折板材１０の取付け強度も向上させることができる。
【００３９】
ところで本実施形態の支持金具４は、上折板材固定部４２のハゼ継ぎ状態を補強するため、ハゼ補強具６を装着することができる。このハゼ補強具６は、必要な耐風圧に応じて、装着または不装着を決定することが可能なものである。
【００４０】
ハゼ補強具６は、図４に示されるように、上折板屋根３のハゼ継ぎ固定部３６の凹溝部３７の奥面に当接する当接片６１と、この当接片６１に連設された断面コ字状の補強具本体６２とを備えている。補強具本体６２における当接片６１に対向する面には、ボルトを螺合可能なめねじ部が螺設されている。ハゼ補強具６は、このめねじ部に押しボルト６３を螺合するようになっており、押しボルト６３を旋回させることで、押しボルト６３先端と当接片６１との間の距離を自在に変更できるようになっている。
【００４１】
ハゼ補強具６は、上折板屋根３のハゼ固定部を上方から覆うようにして設置される。ハゼ補強具６を設置するには、当接片６１をハゼ継ぎ固定部３６の凹溝部３７の奥面に当接した状態で、押しボルト６３を螺進させる。そして、ハゼ継ぎ固定部３７を両側から挟持するよう取り付ける。
【００４２】
なお、このハゼ補強具６を取り付けるときは、大きな耐風圧が要求される場合であるため、支持金具を取り付けるに当たっては、第１の固定部４３０を使用して金具本体４１を固設することが多い。一方、第２の固定部４５０を使用して固定した金具本体４１に対しても、ハゼ補強具６を取り付けることができる。
【００４３】
このようなハゼ補強具６は、本実施形態の支持金具４の吊子５０と共にハゼ継ぎされた上折板材３０のハゼ継ぎ部３３を両側から挟持するため、ハゼ継ぎ状態を補強させる。これにより、上折板屋根３の葺設強度を向上させることができ、この結果、屋根の耐風圧をより一層強化させることができる。
【００４４】
このように本実施形態の支持金具４は、第１の固定部４３０と第２の固定部４５０とを選択的に使用でき、しかも状況に応じて、上折板屋根３の耐風圧に対する強度も向上させることができるため、作業者は１種類の支持金具４を持ち運ぶだけで、多様な状況に対応することができる。
【００４５】
以上、本発明の支持金具を、既設折板屋根上に新設の折板屋根を葺き替える折板屋根構造に基づいて説明したが、本発明の支持金具は、二重折板屋根を葺設する際に用いられればよく、葺き替え構造を対象とするものにのみ限定されない。本発明の支持金具は、例えば、下折板屋根と上折板屋根とをいずれも新設の折板屋根とした二重折板屋根構造に対しても適用可能である。
【符号の説明】
【００４６】
１      下折板屋根
１０    下折板材
１３    ハゼ継ぎ部
１４    山部
１５    頂面部
１６    ハゼ継ぎ固定部
１７    凹溝部
２      タイトフレーム
２１    吊子
２２    凸部
２３    凹部
３      上折板屋根
３０    上折板材
３３    ハゼ継ぎ部
３４    山部
３５    頂面部
３６    ハゼ継ぎ固定部
３７    凹溝部
４      支持金具
４１    金具本体
４２    上折板材固定部
４３    固定部
４３０  第１の固定部
４５    固定片
４５０  第２の固定部
４７    縦片
４８    対向片
５０    吊子
６      ハゼ補強具
６１    当接片
６２    補強具本体
６３    押しボルト
【図１】
2012132176.tif 000003
【図２】
2012132176.tif 000004
【図３】
2012132176.tif 000005
【図４】
2012132176.tif 000006
【図５】
2012132176.tif 000007